(57)【特許請求の範囲】
【請求項１】
車室床面側に固定される環状のロアーベースと、シート本体が固着される環状のアッパーベースと、前記アッパーベースの外周縁に固着され、前記ロアーベースを挟持するホルダー部材とを備える車両用シートの回転調整機構において、
前記環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の内側壁と前記ホルダー部材の摺動部の断面略Ｕ字状の外側壁とに夫々角度規制部材が形成され、該角度規制部材が相互に所定の回動位置で係止されるように形成されていることを特徴とする車両用シートの回転調整機構。
【請求項２】
車室床面側に固定される環状のロアーベースと、シート本体が固着される環状のアッパーベースと、前記アッパーベースの外周縁に固着され、前記ロアーベースを挟持するホルダー部材とを備える車両用シートの回転調整機構において、
前記環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の上端に第１の転動部材を受ける凹部と第２の転動部材を受ける凸部とが形成され、該凹部と凸部により略Ｓ字状の受部が形成され、前記ロアーベースの係合摺動部の断面略逆Ｕ字状の内側壁にアッパーベース側の回動を規制する角度規制部材が形成され、前記ホルダー部材の摺動部の断面略Ｕ字状の外側壁より外方に突出してアッパーベース側の回動を規制する角度規制部材が形成され、夫々の角度規制部材が相互に所定の回動位置で係止されるように形成されていることを特徴とする車両用シートの回転調整機構。
【発明の詳細な説明】
【０００１】
【発明の属する技術分野】
本発明はシート本体を車室床面上で回転調整可能に支持してなる車両用シートの回転調整機構に関し、更に詳細に説明すると、車室床面側に固定される環状のロアーベースと、シート本体が固着される環状のアッパーベースと、前記アッパーベースの外周縁に固着され、前記ロアーベースを挟持するホルダー部材とを備える車両用シートの回転調整機構の改良に関する。
【０００２】
【従来の技術】
従来から車両用シートにおいて、シートの向きを着座者の好みや要求に応じて変更調節し得るような構成を採用した回転式の車両用シートが知られている。
即ち、この種の回転式の車両用シートとしては、面擦り合わせ式やシャフトアップ回転式等による回転調整機構を、シート本体の下方で車室床面との間に介在させて設けてなる構造のものが、従来から種々提案されている。
【０００３】
例えば、特開平８−１１６００号公報には、車両のフロア側に固定される環状のロアーレールと、該ロアーレールの断面略逆Ｕ字状の環状摺動部に対して摺動自在に係合する断面略Ｕ字状の摺動部を有するアッパーレールと、該アッパーレールをシートクッションフレームに固定するためのブラケットとを備え、ロアーレールの環状摺動部とブラケットとの間にボールを介在させ、該ボールの接する環状摺動部の外壁面を内側下方に下がるテーパ面とし、自動的な調心機能を持たせるシート回転装置が示されている。
【０００４】
また、特開平１１−１２９７９４号公報には、フロア側に設けられるロアプレートとシート側に設けられ、ボールを介してロアプレートに支持されて水平面内で自転するアッパープレートと、かしめピンによりロアプレートに結合され、ボールを介してロアプレートと共にアッパープレートを挟持するセットプレートとを有する構成が示されている。そして、セットプレートのボス部をつぶすことにより、セットプレートとロアプレートの対向間隔を調整変更して、アッパープレートの回転操作トルクを適正にするようになされている。
【０００５】
また、図７及び図８（ａ），（ｂ）に示す如く、車両のフロア側に固定される環状のロアーベース１１とシート本体が固着される環状のアッパーベース１３と、前記アッパーベース１３の外周縁に固着され、前記ロアーベース１１を挟持するホルダー部材１５とを備える車両用シートの回転調整機構１００において、アッパーベース１３とロアーベース１１との間に第１のボール１１１が挿入され、またホルダー部材１５とロアーベース１１との間に第２のボール１１２が挿入されている。
【０００６】
また、前記第１のボール１１１及び第２のボール１１２の回動を規制し、アッパーベース１３の回転角度を規制する角度規制部材として、図８（ａ）に示す如く、アッパーベース１３にアッパー側凸部１１３を形成し、ホルダー部材１５にホルダー凸部１１５を形成し、また図８（ａ）に示す如く、ロアーベース１１に第１のボール１１１の転動規制用のロアーベース凸部１１７及び第２のボール１１２の転動規制用のロアーベース凸部１１９を形成し、回転角度規制を行っている。
【０００７】
【発明が解決しようとする課題】
然し乍ら、従来の特開平８−１１６００号公報に示されるシート回転装置においては、ロアーレールの断面略逆Ｕ字状の環状摺動部に対して摺動自在に係合する断面略Ｕ字状の摺動部を有するアッパーレールとはシューを介して対向しているため、摺動抵抗が増大し、また十分な調心機能を得ることができずバラツキを発生させる虞れを有していた。シート側からの衝撃荷重がブラケット及びアッパーレールに加えられると変形しやすく、板厚を減少させることができず重量が増大し、摺動抵抗が増大し簡易迅速な回転操作ができない欠点を有し、またブラケットとロアーレールとの間のボールの位置がテーパ面の上部に位置する場合にはブラケットが上下方向に高い位置となり、ブラケットとアッパーレールとを固着するボルトの位置が高くなり、高さを低くすることができないものであった。また、特開平１１−１２９７９４号公報に示される回転装置においては、高さ方向の長さを短くすることはできるも、ロアプレートが横方向に長くなり、同様に小型化することができず、重量が増大し、摺動抵抗が増大する欠点を有するものである。更に、アッパーベース１３の回転角度を規制する角度規制部材として、アッパー側凸部１１３，ホルダー凸部１１５，ロアーベース凸部１１７及びロアーベース凸部１１９を形成した場合に、第１のボール１１１及び第２のボール１１２がこれらの凸部を乗り越える虞れを有し、第１のボール１１１及び第２のボール１１２が変形し、または凸部１１３，１１５，１１７，１１９等が変形し、シート回転装置にガタが発生する虞れを有していた。またアッパーベース１３，ロアーベース１１及びホルダー部材１５に角度規制部材としての凸部を形成した場合には任意に角度規制位置を変更することが困難であり、この凸部のプレス成形を後工程とすると第１のボール１１１及び第２のボール１１２等の転動部の寸法精度維持ができなくなる欠点を有していた。
【０００８】
本発明の目的は、ロアーベース、アッパーベース及びホルダー部材からなる回転調整機構を、必要最小限の部品点数で簡単に構成し、しかも自動的な調心機能を持たせることができ、衝撃荷重をホルダー部材よりロアーベースに確実に伝達することができ、変形が少なく板厚を薄くすることができ、重量を軽量化して摺動抵抗を減少させることができ、回転操作力を低減させて回転調整を簡易迅速に行うことができ、高さ及び幅を減少させ形状を小型化することができ、上下方向の剛性を向上させることができ、任意に角度規制位置を変更することができ、ガタの発生のない、コスト的にも安価な車両用シートの回転調整機構を提供するものである。
【０００９】
【課題を解決するための手段】
本発明の請求項１に係る車両用シートの回転調整機構は、車室床面側に固定される環状のロアーベースと、シート本体が固着される環状のアッパーベースと、前記アッパーベースの外周縁に固着され、前記ロアーベースを挟持するホルダー部材とを備える車両用シートの回転調整機構において、
前記環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の内側壁と前記ホルダー部材の摺動部の断面略Ｕ字状の外側壁とに夫々角度規制部材が形成され、該角度規制部材が相互に所定の回動位置で係止されるように形成されていることを特徴とする。
【００１０】
本発明の請求項２に係る車両用シートの回転調整機構は、車室床面側に固定される環状のロアーベースと、シート本体が固着される環状のアッパーベースと、前記アッパーベースの外周縁に固着され、前記ロアーベースを挟持するホルダー部材とを備える車両用シートの回転調整機構において、
前記環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の上端に第１の転動部材を受ける凹部と第２の転動部材を受ける凸部とが形成され、該凹部と凸部により略Ｓ字状の受部が形成され、前記ロアーベースの係合摺動部の断面略逆Ｕ字状の内側壁にアッパーベース側の回動を規制する角度規制部材が形成され、前記ホルダー部材の摺動部の断面略Ｕ字状の外側壁より外方に突出してアッパーベース側の回動を規制する角度規制部材が形成され、夫々の角度規制部材が相互に所定の回動位置で係止されるように形成されていることを特徴とする。
【００１１】
本発明の請求項１に記載の車両用シートの回転調整機構によれば、環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の内側壁と前記ホルダー部材の摺動部の断面略Ｕ字状の外側壁とに夫々角度規制部材が形成され、該角度規制部材が相互に所定の回動位置で係止されるように形成されているので、アッパーベース側からの衝撃荷重をホルダー部材の摺動部よりロアーベースの断面略逆Ｕ字状の係合摺動部に伝達することができ、変形が少なく板厚を薄くすることができ、重量を軽量化して摺動抵抗を減少させることができ、回転操作力を低減させて回転調整を簡易迅速に行うことができ、高さ及び幅を減少させ形状を小型化することができ、上下方向の剛性を向上させることができ、角度規制部材の収納スペースを別途設ける必要がなく、また角度規制部材が他部材と干渉する虞れがなく、任意に角度規制位置を変更することができ、ガタの発生を防止することができる。
【００１２】
本発明の請求項２に係る車両用シートの回転調整機構によれば、環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の上端に第１の転動部材を受ける凹部と第２の転動部材を受ける凸部とが形成され、該凹部と凸部により略Ｓ字状の受部が形成され、前記ロアーベースの係合摺動部の断面略逆Ｕ字状の内側壁にアッパーベース側の回動を規制する角度規制部材が形成され、前記ホルダー部材の摺動部の断面略Ｕ字状の外側壁より外方に突出してアッパーベース側の回動を規制する角度規制部材が形成され、夫々の角度規制部材が相互に所定の回動位置で係止されるように形成されているので、アッパーベース側からの衝撃荷重をホルダー部材の摺動部よりロアーベースの断面略逆Ｕ字状の係合摺動部に伝達することができ、変形が少なく板厚を薄くすることができ、重量を軽量化して摺動抵抗を減少させることができ、回転操作力を低減させて回転調整を簡易迅速に行うことができ、高さ及び幅を減少させ形状を小型化することができ、上下方向の剛性を向上させることができ、角度規制部材の収納スペースを別途設ける必要がなく、また角度規制部材が他部材と干渉する虞れがなく、任意に角度規制位置を変更することができ、ガタの発生を防止することができる。
【００１３】
【発明の実施の形態】
以下本発明に係る車両用シートの回転調整機構を図面を参照して詳述する。
図１乃至図６は本発明の実施の形態を示すもので、図１は車両用シートの回転調整機構の分解斜視図、図２は回転調整機構の平面図、図３は回転調整機構の側面図、図４は回転調整機構の裏面図、図５は図２のＸ−Ｘ線断面図、図６は図２のＷ−Ｗ線断面図である。
【００１４】
車両用シートのシートクッションの下方で車室床面との間には、シート全体をシートの略中央部を回転中心として回転調整し、シートの向きを任意に調整し得る回転調整機構１０が設けられている。この回転調整機構１０は、図１乃至図６から明らかなように、円形開口１２を有する環状のロアーベース１１と、シート本体が固着され、ロアーベース１１に対して回転自在に支持される円形開口１４を有する環状のアッパーベース１３と、前記アッパーベース１３に固着され、前記ロアーベース１１を挟持するホルダー部材１５とを備えている。
【００１５】
図５に示す如く、前記環状のロアーベース１１は外周縁に断面略逆Ｕ字状の係合摺動部２１が上方に突出する状態で形成され、前記環状のアッパーベース１３はロアーベース１１の係合摺動部２１と第１の転動部材２３を介して配設され、前記ホルダー部材１５の内周縁に前記ロアーベース１１の断面略逆Ｕ字状の係合摺動部２１と係合する断面略Ｕ字状の摺動部２５が下方に突出する状態で形成されている。
【００１６】
前記環状のアッパーベース１３の略中央部には断面凹状部１３ａが形成され、外周縁側にフランジ部１３ｂが形成され、内周縁側に第１の転動部材２３を上方から保持するボール受部１３ｃが形成されている。ホルダー部材１５の摺動部２５とロアーベース１１の係合摺動部２１との間に第２の転動部材２７が設けられている。
【００１７】
図２及び図４に示す如く、前記アッパーベース１３の略中央部の断面凹状部１３ａとホルダー部材１５の摺動部２５より外側の水平部１５ａとが複数の、本実施の形態では６個のボルト３１及びナット３２により固着されている。前記ナット３２はアッパーベース１３に夫々溶着されている。このナット３２をアッパーベース１３に溶着することにより、アッシー時にアッパーベース１３を反転してこのアッパーベース１３上にロアーベース１１及びホルダー部材１５を載置して上方よりボルト３１止めすることができる。
【００１８】
また、図５に示す如く、ホルダー部材１５の外周縁に上方に向かうフランジ部１５ｂが形成され、このフランジ部１５ｂがアッパーベース１３のフランジ部１３ｂの内側に挿入されている。
【００１９】
前記第１の転動部材２３と第２の転動部材２７の中心を結ぶ線が略４５°傾斜した斜めとなるように配設されている。即ち前記ロアーベース１１の係合摺動部２１の断面略逆Ｕ字状を形成する内側壁と外側壁を連結する上端に第１の転動部材２３の下端を受ける凹部３５と第２の転動部材２７を受ける凸部３７とが形成され、この凹部３５と凸部３７により略Ｓ字状の受部３４が形成されている。
【００２０】
また、ホルダー部材１５の摺動部２５の内周縁側に第２の転動部材２７の下部側を受ける受部２５ａが形成されている。また前記アッパーベース１３の第１の転動部材２３の上端を受ける受部１３ｃの略中央部に直線状部４１が形成されている。この直線状部４１の存在により、アッシー時の部品のバラツキに対応することができ、自動的な調心機能を持たせることができる。
【００２１】
また、本発明の実施の形態では、図１に示す如く、アッパーベース１３側にレバーガイド部４３が形成され、図４に示す如く、回転レバー４５とレバースプリング４７取付けられている。また第１の転動部材２３はリング状のアッパーリテーナ４９に適宜の間隔で形成された複数の透孔に複数個、本実施の形態では１２個取付けられている。
【００２２】
更に、図１及び図４乃至図６に示す如く、ロアーベース１１の係合摺動部２１の断面略逆Ｕ字状の内側壁にはアッパーベース１３の角度規制部材としての角度規制プレート５１が溶着等により固着されている。また第２の転動部材２７はリング状のロアーリテーナ５３に適宜の間隔で形成された複数の透孔に複数個、本実施の形態では１２個取付けられている。前記ホルダー部材１５の摺動部２５の断面略Ｕ字状の外側壁にはアッパーベース側の回動を規制する角度規制部材としての角度規制プレート５５が摺動部２５の断面略Ｕ字状の外側壁より外方に突出して溶着等により固着されている。
【００２３】
また、本発明に係る車両用シートの回転調整機構によれば、上述した回転調整機構１０を構成するロアーベース１１と車室床面との間、またはアッパーベース１３とシート本体との間に、シートを前後方向にスライド調整可能なスライド機構を介在させるようにしてもよい。
【００２４】
【発明の効果】
以上説明したように本発明の請求項１に係る車両用シートの回転調整機構によれば、環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の内側壁と前記ホルダー部材の摺動部の断面略Ｕ字状の外側壁とに夫々角度規制部材が形成され、該角度規制部材が相互に所定の回動位置で係止されるように形成されているので、アッパーベース側からの衝撃荷重をホルダー部材の摺動部よりロアーベースの断面略逆Ｕ字状の係合摺動部に伝達することができ、変形が少なく板厚を薄くすることができ、重量を軽量化して摺動抵抗を減少させることができ、回転操作力を低減させて回転調整を簡易迅速に行うことができ、高さ及び幅を減少させ形状を小型化することができ、上下方向の剛性を向上させることができ、角度規制部材がロアーベースの係合摺動部の断面略逆Ｕ字状の内側壁側に設けられているので、角度規制部材の収納スペースを別途設ける必要がなく、また角度規制部材が他部材と干渉する虞れがなく、任意に角度規制位置を変更することができ、ガタの発生を防止することができる。
【００２５】
本発明の請求項２に係る車両用シートの回転調整機構によれば、環状のロアーベースは断面略逆Ｕ字状の係合摺動部が形成され、前記アッパーベースはロアーベースの係合摺動部と第１の転動部材を介して配設され、前記ホルダー部材に前記ロアーベースの断面略逆Ｕ字状の係合摺動部と係合する断面略Ｕ字状の摺動部が形成され、前記ホルダー部材の摺動部とロアーベースの係合摺動部との間に第２の転動部材が設けられ、前記ロアーベースの係合摺動部の断面略逆Ｕ字状の上端に第１の転動部材を受ける凹部と第２の転動部材を受ける凸部とが形成され、該凹部と凸部により略Ｓ字状の受部が形成され、前記ロアーベースの係合摺動部の断面略逆Ｕ字状の内側壁にアッパーベース側の回動を規制する角度規制部材が形成され、前記ホルダー部材の摺動部の断面略Ｕ字状の外側壁より外方に突出してアッパーベース側の回動を規制する角度規制部材が形成され、夫々の角度規制部材が相互に所定の回動位置で係止されるように形成されているので、アッパーベース側からの衝撃荷重をホルダー部材の摺動部よりロアーベースの断面略逆Ｕ字状の係合摺動部に伝達することができ、変形が少なく板厚を薄くすることができ、重量を軽量化して摺動抵抗を減少させることができ、回転操作力を低減させて回転調整を簡易迅速に行うことができ、高さ及び幅を減少させ形状を小型化することができ、上下方向の剛性を向上させることができ、角度規制部材がロアーベースの係合摺動部の断面略逆Ｕ字状の内側壁側に設けられているので、角度規制部材の収納スペースを別途設ける必要がなく、また角度規制部材が他部材と干渉する虞れがなく、任意に角度規制位置を変更することができ、ガタの発生を防止することができる。
【００２６】
本発明によれば、ロアーベース、アッパーベース及びホルダー部材からなる回転調整機構を、必要最小限の部品点数で簡単に構成し、しかも自動的な調心機能を持たせることができ、衝撃荷重をホルダー部材よりロアーベースに確実に伝達することができ、変形が少なく板厚を薄くすることができ、重量を軽量化して摺動抵抗を減少させることができ、回転操作力を低減させて回転調整を簡易迅速に行うことができ、高さ及び幅を減少させ形状を小型化することができ、上下方向の剛性を向上させることができ、角度規制部材の収納スペースを別途設ける必要がなく、また角度規制部材が他部材と干渉する虞れがなく、任意に角度規制位置を変更することができ、ガタの発生のない、コスト的にも安価な車両用シートの回転調整機構を得ることができる。
【図面の簡単な説明】
【図１】本発明に係る車両用シートの回転調整機構の分解斜視図。
【図２】本発明に係る車両用シートの回転調整機構の平面図。
【図３】本発明に係る車両用シートの回転調整機構の側面図。
【図４】本発明に係る車両用シートの回転調整機構の裏面図。
【図５】本発明に係る車両用シートの回転調整機構を示す図２のＸ−Ｘ線断面図。
【図６】本発明に係る車両用シートの回転調整機構を示す図２のＷ−Ｗ線断面図。
【図７】従来の車両用シートの回転調整機構の平面図。
【図８】従来の車両用シートの回転調整機構を示すもので、（ａ）は図７の■−■線断面図、（ｂ）図７の■−■線断面図。
【符号の説明】
１０    回転調整機構
１１    ロアーベース
１２    円形開口
１３    アッパーベース
１３ａ  凹状部
１３ｂ  フランジ部
１３ｃ  ボール受部
１５    ホルダー部材
１５ａ  水平部
１５ｂ  フランジ部
２１    係合摺動部
２３    第１の転動部材
２５    摺動部
２５ａ  受部
２７    第２の転動部材
３１    ボルト
３２    ナット
３４    略Ｓ字状の受部
３５    凹部
３７    凸部
４１    直線状部
５１    角度規制部材
５５    角度規制部材
【図１】
0003614095.tif 000002
【図２】
0003614095.tif 000003
【図３】
0003614095.tif 000004
【図４】
0003614095.tif 000005
【図５】
0003614095.tif 000006
【図６】
0003614095.tif 000007
【図７】
0003614095.tif 000008
【図８】
0003614095.tif 000009